(57)【特許請求の範囲】
【請求項１】
基材上の少なくとも一部に、前記基材と異なる色の印刷画像を備え、
前記印刷画像は、明暗フリップフロップ性の特性を少なくとも備えた第一の画像要素群、第二の画像要素群、第三の画像要素群及び第四の画像要素群を少なくとも有し、
前記第一の画像要素群、前記第二の画像要素群、前記第三の画像要素群及び前記第四の画像要素群は、前記印刷画像内において重なり合うことなく、盛り上がりを有する画線及び／又は画素が万線状に配置され、
前記第一の画像要素群は、第一の面積率を有する前記画線又は前記画素が第二の方向に構成され、
前記第二の画像要素群は、第二の面積率を有する前記画線及び／又は前記画素が前記第二の方向に構成され、
前記第三の画像要素群は、前記第一の面積率を有する前記画線が第一の方向に構成され、
前記第四の画像要素群は、前記第二の面積率で前記画線又は前記画線と前記画素の組合せが前記第一の方向に構成され、
前記第一の画像要素群、前記第二の画像要素群、前記第三の画像要素群及び前記第四の画像要素群の少なくとも１つが前記画素を含み、
前記第一の面積率を有する前記第一の画像要素群及び前記第三の画像要素群により第一の有意情報の背景部が形成され、
前記第二の面積率を有する前記第二の画像要素群及び前記第四の画像要素群により前記第一の有意情報の情報部が形成され、
前記第二の方向を有する前記第一の画像要素群及び前記第二の画像要素群により第二の有意情報の背景部が形成され、
前記第一の方向を有する前記第三の画像要素群及び前記第四の画像要素群により前記第二の有意情報の情報部が形成され、
拡散反射光が支配的な角度で観察した場合には、面積率の差異から生じる濃淡差によって前記第一の有意情報が視認され、
拡散反射光と正反射光が混在する角度で観察した場合には、前記画線及び前記画素の立体構造の違いから生じる反射光の強弱によって前記第二の有意情報が視認されることを特徴とする真偽判別可能な潜像印刷物。
【請求項２】
前記第二の画像要素群及び／又は前記第四の画像要素群が前記画線で構成される場合において、各々の前記画線の幅が規則的に変化することを特徴とする請求項１記載の潜像印刷物。
【請求項３】
前記第一の面積率と前記第二の面積率との面積率の差異は、５％以上６０％以下であり、かつ、前記第一の面積率は１０％以上であることを特徴とする請求項１又は２記載の潜像印刷物。
【請求項４】
前記第一の方向と前記第二の方向の角度差は、５°以上９０°以下であることを特徴とする請求項１乃至３のいずれか一項に記載の潜像印刷物。
【請求項５】
前記それぞれの画像要素群を構成する前記画線及び前記画素は、前記画線同士及び前記画素同士の画線幅及びピッチが一定であることを特徴とする請求項１乃至４のいずれか一項に記載の潜像印刷物。
【発明の詳細な説明】
【技術分野】
【０００１】
本発明は、真偽判別機能を必要とする銀行券、パスポート、有価証券、身分証明書、カード及び通行券等の貴重印刷物の分野において、特に、観察角度を変えることによって観察される画像が異なる画像へと変化する効果を有する潜像印刷物に関するものである。
【背景技術】
【０００２】
近年のスキャナ、プリンタ及びカラーコピー機等のデジタル機器の進展により、貴重印刷物の精巧な複製物を容易に作製することが可能となっている。このような複製や偽造を防止する偽造防止技術の一つとして、観察角度によって画像が変化するホログラムに代表される光学的なセキュリティ要素を貼付したものが多く存在するようになった。
【０００３】
しかし、ホログラムは、インキを用いた印刷によって形成する従来の偽造防止技術とは異なり、複雑な製造工程と特殊な材料を用いて形成されることから、従来の偽造防止用印刷物と比較すると製造に手間がかかり、かつ、極めて高価である。このことから、金属インキ、干渉マイカ、酸化フレークマイカ、顔料コートアルミニウムフレーク及び光学的変化フレーク等の特殊な光反射性粉体をインキ又は塗料に配合し、かつ、特殊な材料同士の重ね合わせや複雑な網点構成を用いることによって、一般的な印刷方法で形成可能であって、ホログラムと同様の画像変化を実現した偽造防止用印刷物が出現している。
【０００４】
以上のようなホログラムと同様の画像変化を実現したコストパフォーマンスに優れた印刷物の中には、盛り上がりを有する画線によって印刷画像を形成することで、印刷物が光を強く反射する正反射光下の観察において、観察される画像をチェンジさせて視認することができる効果を有する偽造防止用印刷物がある。これらは、観察される画像がチェンジして視認されるか否かにより真偽判別を行うものである。
【０００５】
本出願人は、紙やカード等の基材の表面上の印刷画像領域に、基材と異なる色を有する着色インキによって第１の画像を印刷し、その上に虹彩色パール顔料を含んだ透明インキの万線からなり、画像部の万線と背景部の万線が異なる方向からなる第２の画像を積層することで、観察する角度によって、第１の画像と第２の画像をチェンジさせて視認することができることを特徴とする情報担持体に係わる発明を出願している（例えば、特許文献１参照）。
【０００６】
また、本出願人は、鏡面光沢を有し、盛り上がりを有する画線によって、画線角度の異なりにより形成した第１の画像を備え、かつ、画線面積率の差異で形成した第２の画像を備えることで、拡散反射光と正反射光が混在する角度領域の観察では、第１の画像のみが視認され、拡散反射光が支配的な角度領域における観察では、第２の画像のみが視認される情報担持体に関わる発明を出願している（例えば、特許文献２参照）。
【先行技術文献】
【特許文献】
【０００７】
【特許文献１】特開２０１０−１７３１６１号公報
【特許文献２】特開２００９−１４９０４３号公報
【発明の概要】
【発明が解決しようとする課題】
【０００８】
特許文献１の情報担持体は、視認する角度を変えることによって、第１の画像と第２の画像がチェンジする効果を有する、優れた偽造防止技術であるが、作製に当たっては、第１の画像を印刷した後に、第２の画像を重ね合わせて形成するため、少なくとも２回以上の印刷を行う必要があった。また、特許文献１の情報担持体における最良の形態では、第１の画像をオフセット等の平版印刷方式で形成し、第２の画像をスクリーン印刷方式で形成するため、異なる印刷方式のコンビネーション印刷が必要となることから、製造工程が複雑であって、コスト的に割高になるという課題が残されていた。
【０００９】
特許文献２の情報担持体は、情報担持体の表面からの強い反射光が生じない環境である、拡散反射光が支配的な観察角度では、面積率の差異によって構成された第２の画像を視認することができるが、情報担持体の表面からの強い反射光が生じる環境である、拡散反射光と正反射光が混在する観察角度では、画像が入射した光を強く反射することで、画像の明度が上昇して第２の画像のコントラストが失われ、画線角度の異なりによって構成された第１の画像が出現する技術であって、特許文献１に記載の技術と異なり、１回刷りで形成可能であるためコストパフォーマンスにも優れた技術であるものの、特許文献２に記載の情報担持体は、画像の全てを画線で形成する必要があり、このことに起因する以下のような課題があった。
【００１０】
盛り上がりを有する画線は、画線方向と直交する方向から入射する光を強く反射する一方、画線方向と平行な方向から入射する光を強く反射しない特性を有する。特許文献２に記載の技術における正反射光が生じた場合の第２の画像の消失効果は、画線が強く光を反射した場合に、画線の明度が大きく上昇することで、濃淡のコントラストが目視上小さくなる現象を利用しているため、光を反射しない画線では、濃淡差は小さくならない。そのため、画像を構成する画線と平行な方向から光が入射した場合に、第１の画像の背景部及び第１の画像の画像部のいずれか一方に、第２の画像が反映され、画像のチェンジ効果が低下してしまう。具体的には、図１９（ａ）に示すような特許文献２の情報担持体に対して、図１９（ｂ）に示すように第１の画像の背景部を構成する画線と直交する方向から光が入射した場合、第１の画像の背景部内における第２の画像（アルファベットの「Ａ」の文字）は消失するものの、第１の画像の画像部内における第２の画像は完全には消失せず、アルファベットの「Ｂ」の文字と重なり合って視認されてしまい、不明瞭な画像となる場合があった。
【００１１】
一方、図１９（ｃ）に示すように第１の画像の画像部を構成する画線と直交する方向から光が入射した場合にも、第１の画像の画像部内における第２の画像は消失するものの、第１の画像の背景部内における第２の画像は、完全には消失せず、アルファベットの「Ｂ」の文字と重なり合って視認されてしまい、不明瞭な画像となる場合があった。以上のように、特許文献２に記載の技術は、画像の全てを画線で形成する必要上、チェンジ効果が低下する光の入射方向が複数存在するという問題があった。これは、画像のチェンジ効果である、すなわち、真偽判別の基準となる効果が観察する環境中の光の入射方向に少なからず依存してしまうことを意味し、あらゆる環境で常に安定した性能が発揮されることを期待される真偽判別技術としては、改善すべき課題であった。
【００１２】
また、画線のみを用いて画像を形成しなければならない従来の技術の問題点として、形成することができる画像がやや解像度の低い単純な画像に制限され、繊細な画像や多階調を有する画像を表現する場合の表現力は、画素に及ばないという課題が残されていた。
【００１３】
本発明は、上記事情にかんがみ、拡散反射光が支配的な角度領域と、拡散反射光と正反射光が混在する角度領域とで、２つの異なる画像がチェンジする効果を有する印刷物であって、従来の技術よりも観察環境中の入射光の方向に大きく依存することなく優れた画像のチェンジを発揮することができ、高い解像度の画像も再現可能であって、作製も容易である、コストパフォーマンスに優れた潜像印刷物を提供することを目的とする。
【課題を解決するための手段】
【００１４】
本発明の潜像印刷物は、基材上の少なくとも一部に、基材と異なる色の印刷画像を備え、印刷画像は、高い光沢を有する第一の画像要素群、第二の画像要素群、第三の画像要素群及び第四の画像要素群を少なくとも有し、第一の画像要素群、第二の画像要素群、第三の画像要素群及び第四の画像要素群は、印刷画像内において重なり合うことなく、盛り上がりを有する画線及び／又は画素が万線状に配置され、第一の画像要素群は、第一の面積率を有する画線又は画素が第二の方向に構成され、第二の画像要素群は、第二の面積率を有する画線及び／又は画素が第二の方向に構成され、第三の画像要素群は、第一の面積率を有する画線が第一の方向に構成され、第四の画像要素群は、第二の面積率で画線又は画線と画素の組合せが第一の方向に構成され、第一の画像要素群、第二の画像要素群、第三の画像要素群及び第四の画像要素群の少なくとも１つが画素を含み、第一の面積率を有する第一の画像要素群及び第三の画像要素群により第一の有意情報の背景部が形成され、第二の面積率を有する第二の画像要素群及び第四の画像要素群により第一の有意情報の情報部が形成され、第二の方向を有する第一の画像要素群及び第二の画像要素群により第二の有意情報の背景部が形成され、第一の方向を有する第三の画像要素群及び第四の画像要素群により第二の有意情報の情報部が形成され、拡散反射光が支配的な角度で観察した場合には、面積率の差異から生じる濃淡差によって第一の有意情報が視認され、拡散反射光と正反射光が混在する角度で観察した場合には、画線及び画素の立体構造の違いから生じる反射光の強弱によって第二の有意情報が視認されることを特徴とする真偽判別可能な潜像印刷物である。
【００１５】
また、本発明の潜像印刷物は、第二の画像要素群及び／又は第四の画像要素群が画線で構成される場合において、各画線の幅が規則的に変化することを特徴としている。
【００１６】
また、本発明の潜像印刷物における第一の面積率と第二の面積率との面積率の差異は、５％以上６０％以下であり、かつ、第一の面積率は１０％以上であることを特徴としている。
【００１７】
また、本発明の潜像印刷物における第一の方向と第二の方向の角度差は、５°以上９０°以下であることを特徴としている。
【００１８】
また、本発明の潜像印刷物におけるそれぞれの画像要素群を構成する画線及び画素は、画線同士及び画素同士の画線幅及びピッチが一定であることを特徴としている。
【発明の効果】
【００１９】
本発明の潜像印刷物は、観察する角度の変化に応じて２つの異なる画像がチェンジする効果を有し、かつ、１回の印刷工程で形成可能であり、容易に製造できるため、コストパフォーマンスに優れる。
【００２０】
また、本発明の潜像印刷物における第一の有意情報を構成する画像は、必ず一部に画素を含んで形成されるが、第二の有意情報を構成する画像は、画素を含まないで形成される場合もある。画素自体は、画線のような画線角度は存在しないことから、いかなる方向から光が入射した場合でも画線のように反射光量に大きな差は生じない。そのため、画素に光が入射することで生じる反射光は、画線の場合と比較して入射光の入射方向に対する影響が極めて小さい。よって、全ての画像を画線で形成する必要のあった特許文献２に記載の従来の技術と比較して、光が入射した場合の第一の有意情報の消失効果が入射光の方向に相対的に左右されにくい。そのため、光の入射方向による画像のチェンジ効果への影響が小さく、特許文献２に記載の従来の技術と比較して、観察環境中の入射光の方向に大きく依存することのない、常に安定した真偽判別が可能となる。
【００２１】
本発明の潜像印刷物における第一の有意情報は、画線よりも繊細な表現が可能である画素を必ず含んで構成されるため、従来の技術と比較してデザインに関する制約が少なく、より複雑な画像を表現することができる。
【図面の簡単な説明】
【００２２】
【図１】実施の形態１における潜像印刷物を示す説明図
【図２】実施の形態１における第一の有意情報及び第二の有意情報を示した図
【図３】実施の形態１における第一の画像要素群、第二の画像要素群、第三の画像要素群及び第四の画像要素群の概要を示す図
【図４】実施の形態１における第一の画像要素群及び第二の画像要素群の構成を示した図
【図５】実施の形態１における第三の画像要素群及び第四の画像要素群の構成を示した図
【図６】実施の形態１における画像の視認効果を示す説明図
【図７】実施の形態１における第四の画像要素群の別の構成を示した図
【図８】実施の形態１における別の潜像印刷物を示す説明図
【図９】実施の形態２における潜像印刷物を示す説明図
【図１０】実施の形態２における第一の有意情報及び第二の有意情報を示した図
【図１１】実施の形態２における第一の画像要素群、第二の画像要素群、第三の画像要素群及び第四の画像要素群の概要を示す図
【図１２】実施の形態２における第一の画像要素群及び第二の画像要素群の構成を示した図
【図１３】実施の形態２における第三の画像要素群及び第四の画像要素群の構成を示した図
【図１４】実施の形態２における画像の視認効果を示す説明図
【図１５】実施例における印刷画像の説明図
【図１６】実施例における第一の画像要素群及び第二の画像要素群の構成を示した図
【図１７】実施例における第三の画像要素群及び第四の画像要素群の構成を示した図
【図１８】実施例における画像の視認効果を示す説明図
【図１９】従来の技術の問題点を示す説明図
【発明を実施するための形態】
【００２３】
（実施の形態１）
【００２４】
本発明の実施の形態１について、図１から図８までを用いて説明する。しかしながら、本発明は、以下に述べる実施の形態に限定されるものではなく、特許請求の範囲記載における技術的思想の範囲内であれば、その他のいろいろな実施の形態が含まれる。
【００２５】
図１に、本発明の潜像印刷物（１）を示す。本発明の潜像印刷物（１）は、基材（２）上に印刷画像（３）が形成されている。基材（２）は、上質紙、コート紙、プラスティック及び金属等、材質は特に限定されない。その他、基材（２）の色彩や大きさについても特に制限はない。
【００２６】
印刷画像（３）は、盛り上がりを有し、基材と異なる色彩で、かつ、光沢を有する複数の画線及び画素によって形成されてなる。これらの画線及び画素の色彩については、基材と異なる色であって、拡散反射光下で目視することができる程度の色彩を有していればよく、無色透明以外であればいかなる色彩であってもよい。
【００２７】
本実施の形態１において、印刷画像（３）の中には、図２（ａ）に示す「七宝」画像を表した第一の有意情報（４）と、図２（ｂ）に示すアルファベットの「ＪＰＮ」の文字を表した第二の有意情報（５）が含まれる。説明の便宜上、それぞれの画像のうち、黒色で塗りつぶした領域を「情報部」とし、白色の領域を「背景部」と呼ぶこととする。
【００２８】
印刷画像（３）を構成している第一の画像要素群（６Ａ）、第二の画像要素群（６Ｂ）、第三の画像要素群（６Ｃ）及び第四の画像要素群（６Ｄ）を図３に示す。それぞれの画像要素群には重なり合う領域はなく、全ての画像要素群を嵌め合わせた場合に印刷画像（３）となる。印刷画像（３）を構成しているそれぞれの画像要素群は、画線、画素又は画線と画素の組合せで構成される。第一の画像要素群（６Ａ）は、画線又は画素を用いて形成され、第二の画像要素群（６Ｂ）は、画線、画素又は画線と画素の組合せを用いて形成され、第三の画像要素群（６Ｃ）は、画線のみで形成され、第四の画像要素群（６Ｄ）は、画線又は画線と画素の組合せを用いて形成されるが、それぞれの画像要素群を構成する画線や画素の組合せとしては、どの構成を用いてもよく、第一の画像要素群（６Ａ）、第二の画像要素群（６Ｂ）及び第四の画像要素群（６Ｄ）の少なくとも１つが画素を含んで構成されなければならない。これは、第一の有意情報の正反射時の消失効果を高めるためであり、また、第三の画像要素群（６Ｃ）を画線のみで形成するのは、後述する面積率に関係し、第一の面積率の画線を構成することで、正反射光による濃淡の差により潜像が出現しやすいことによる。
【００２９】
図３（ａ）は、第一の画像要素群（６Ａ）であり、第一の面積率で形成される。本実施の形態１の例においては、画線を用いた構成としている。図３（ｂ）は、第二の画像要素群（６Ｂ）であり、第一の面積率とは異なる第二の面積率で形成される。本実施の形態１の例においては、画線と画素の組合せを用いた構成としている。第二の面積率は、第一の面積率より大きい必要がある。図３（ｃ）は、第三の画像要素群（６Ｃ）であり、第一の画像要素群（６Ａ）と同じ第一の面積率で形成される。この第三の画像要素群（６Ｃ）は、画線によって構成される。図３（ｄ）は、第四の画像要素群（６Ｄ）であり、第一の面積率とは異なる第二の面積率で形成される。本実施の形態１の例においては、画線と画素の組合せを用いた構成としている。なお、本実施の形態１においては、第一の有意情報が単純なマークを表した二値画像であることから、第二の面積率は一種類だけであるが、仮に、第一の有意情報が人の顔のような複雑な濃淡を有した多階調画像であった場合、第二の面積率は、一種類だけでなく、表現する階調分の面積率が存在することとなるため、本実施の形態において、第二の面積率という文言は、二値画像だけでなく多階調画像の場合にも用いる。本発明において面積率とは、一定の面積の中に画線や画素が占める面積の割合をいう。
【００３０】
ここで、第一の面積率と第二の面積率の関係について説明する。第一の面積率と第二の面積率の差異は、画線や画素の濃度とその反射特性に依存するが、概ね５％以上６０％以下とする必要がある。５％未満の差しかない場合、極めて濃度の高い画線や画素で印刷画像（３）を形成したとしても、生じる濃淡の差が小さすぎ、第一の有意情報の拡散反射光下で観察した場合、コントラストが不十分となるためである。また、６０％を超える差異を設けた場合、濃淡の差が大きくなりすぎて、正反射によって消失させることができる濃淡の差を逸脱してしまい、拡散反射光と正反射光が混在する角度領域において観察した場合にも第一の有意情報が消失せず、第二の有意情報と重なり合って視認され、不明瞭な画像として視認されてしまうことから望ましくない。適切な第一の面積率と第二の面積率の差は、画素や画線の濃度と反射特性に依存するため、構成する色材やその配合割合が変われば、その都度、適切な差異を見出す必要がある。
【００３１】
続いて、第一の面積率について説明する。第一の面積率によって拡散反射光下の観察で視認することができる程度の濃度の画像を形成しなければならないため、第一の面積率がゼロであってはならず、一定の視認性を確保するためには、少なくとも１０％以上で形成する必要がある。よって、第一の面積率と第二の面積率の関係を満たし、かつ、第一の面積率を１０％以上の面積率で構成することで、本発明の画像のチェンジ効果を得ることができる。ただし、拡散反射光と正反射光が混在する角度領域で観察した場合に出現する第二の有意情報の視認性を重視する場合には、反射光量が多いほうが好ましいため、第一の面積率は高い値をとることが望ましく、中間調からシャドーにあたる面積率で構成することが望ましい。すなわち、第一の面積率は３０％以上８０％以下の面積率で構成することが、画像のチェンジ効果を高めるためには望ましい。
【００３２】
それぞれの画像要素群は、２つの組合せ方法によって、第一の有意情報と第二の有意情報を表す一部分となる。２つの組合せ方法とは、面積率を基準にした組合せ方法と、構成する画線や画素の特徴を基準にした組合せ方法である。この組合せ方法と、それによって構成される画像について具体的に以下に説明する。まず、面積率を基準にした組合せ方法を説明する。まず、第一の面積率で構成された第一の画像要素群（６Ａ）と第三の画像要素群（６Ｃ）を組み合わせると、第一の有意情報（４）の背景部となり、第二の面積率で構成された第二の画像要素群（６Ｂ）と第四の画像要素群（６Ｄ）を組み合わせると第一の有意情報（４）の情報部となる。以上のことから、四つの画像要素群を同じ面積率の画像要素群同士で組み合わせた場合、第一の有意情報（４）となる。
【００３３】
次に、構成する画線や画素の特徴を基準にした組合せ方法について説明する。本実施の形態１においては、それぞれの画像要素群の中に含まれる画線の画線方向を基準に組み合わせる。第二の方向（Ｓ２方向）の画線を有する第一の画像要素群（６Ａ）と第二の画像要素群（６Ｂ）を組み合わせると、第二の有意情報（５）の背景部となり、第一の方向（Ｓ１方向）の画線を有する第三の画像要素群（６Ｃ）と第四の画像要素群（６Ｄ）を組み合わせると第二の有意情報（５）の情報部となる。以上のことから、それぞれの画像要素群を同じ画線方向をもつ画像要素群同士で組み合わせた場合、第二の有意情報（５）となる。構成する画線や画素の特徴を基準にした組合せ方法については、画線方向によって分類する方法に限定されるものではなく、画線か画素かを基準として分類する場合もある。この方法については後述する。以上のように、印刷画像（３）を構成するそれぞれの画像要素群は、その組合せ方法によって第一の有意情報又は第二の有意情報となる。
【００３４】
さらに、第一の方向と第二の方向について説明する。少なくとも第三の画像要素群（６Ｃ）と第四の画像要素群（６Ｄ）は、画線を含んで構成され、その画線は、第一の方向に平行となる。一方、第一の画像要素群（６Ａ）と第二の画像要素群（６Ｂ）は、画素だけで構成される場合を除くと、画線で構成される場合と、画線と画素の組合せで構成される場合がある。この場合に第一の画像要素群（６Ａ）と第二の画像要素群（６Ｂ）に対して用いられる画線は、第一の方向とは異なる第二の方向と平行となる必要がある。ここで第一の方向と第二の方向のなす角度が重要となる。第一の方向と第二の方向は、異なっている必要があり、最も画像として反射光量の差異が生じる角度差は９０°であり、画線同士が直交する関係である。この９０°から角度差が小さくなるにしたがって反射光量は小さくなるため、拡散反射光と正反射光が混在する角度領域での観察における第二の有意情報の視認性は、角度差９０°を最大として、平行となる０°で最小となる。０°の場合には、第二の有意情報は視認することができなくなるため、本発明においては、第二の有意情報が視認される第一の方向と第二の方向の角度差を５°とする。よって、第一の方向と第二の方向の角度差は、５°以上９０°以下の範囲で、これから逸脱する０°から５°未満の範囲にしてはならない。
【００３５】
続いて、図４において、それぞれの画像要素群の具体的な構成について説明する。図４（ａ）に示すのは、第一の画像要素群（６Ａ）とその一部の拡大図である。第一の画像要素群（６Ａ）は、第二の方向（Ｓ２方向）に伸びた画線幅Ｗ１の第一の画線（７Ａ）が、特定のピッチＰ１で第一の方向（Ｓ１方向）に連続して複数配置されてなる。図４（ｂ）に示すのは、第二の画像要素群（６Ｂ）とその一部の拡大図である。第二の画像要素群（６Ｂ）は、第二の方向（Ｓ２方向）に伸びた画線幅Ｗ１の第二の画線（７Ｂａ）と、第二の方向（Ｓ２方向）にピッチＰ２の間隔で配置された高さＷ２幅Ｗ３の第二の画素（７Ｂｂ）とが、それぞれ重ならないように特定のピッチＰ１で第一の方向（Ｓ１方向）に連続して複数配置されてなる。以下、本実施の形態において、「高さ」とは、Ｓ１方向の長さをいい、「幅」とは、Ｓ２方向の長さをいう。
【００３６】
ピッチＰ１は、特に制限するものではないが、紙幣、商品券及びパスポート等のサイズのセキュリティ印刷物として用いると仮定すると、０．１ｍｍから５ｍｍ程度の範囲で構成することが望ましい。
【００３７】
また、図５（ａ）に示すのは、第三の画像要素群（６Ｃ）とその一部の拡大図である。第三の画像要素群（６Ｃ）は、第一の方向（Ｓ１方向）に伸びた画線幅Ｗ１の第三の画線（７Ｃ）が、特定のピッチＰ１で第二の方向（Ｓ２方向）に連続して複数配置されてなる。図５（ｂ）に示すのは、第四の画像要素群（６Ｄ）とその一部の拡大図である。第四の画像要素群（６Ｄ）は、第一の方向（Ｓ１方向）に伸びた画線幅Ｗ１の第四の画線（７Ｄａ）と、第一の方向（Ｓ１方向）にピッチＰ２の間隔で配置された高さＷ２幅Ｗ３の第四の画素（７Ｄｂ）とが、それぞれ重ならないように特定のピッチＰ１で第二の方向（Ｓ２方向）に連続して複数配置されてなる。以上のようにして形成した第一、第二、第三及び第四の画像要素群を重ならないように配置することで、図１に示した印刷画像（３）が形成される。
【００３８】
以上のような画像要素群によって構成された印刷画像（３）を、高い光沢を有するインキ、塗料又は色材等によって、盛り上がりを有する構造で形成する。形成方法は、印刷であってもよいし、塗装、箔押し又はエンボス加工等であってもよい。画線や画素の盛り上がりの高さの最小値は、２μｍであって、一方の盛り上がり高さの最大値に制限はないが、銀行券、パスポート及び証明書等のセキュリティ印刷物として活用する場合には、その流通適性や堅ろう性等を考慮すると、２ｍｍ以下に留めることが好ましい。印刷で形成する場合は、盛り上がり高さを得られないオフセット印刷以外の印刷方式である、フレキソ印刷方式、グラビア印刷方式、凸版印刷方式、凹版印刷方式及びスクリーン印刷方式等で形成することが可能である。
【００３９】
なお、オフセット印刷における膜厚は、約１μｍ程度であることが一般的であるため、オフセット印刷方式で本実施の形態１における潜像印刷物を形成することは困難であるが、オフセット印刷単独で形成するのではなく、特開２００７−２２９９６７号公報や再公表Ｗ０９５／０９３７２号公報に記載の技術のように、オフセット印刷方式で後刷りインキをはじく特性を有する透明な画線を形成した後、ロールコーター等を用いて有色のグロスニスをベタ引きすることで、オフセット印刷方式で形成した画線以外の部分にグロスニスがはじかれ、盛り上がりのある画線を形成する技術を用いれば、オフセット印刷機とロールコーターのコンビネーションにより印刷物を形成することも可能である。
【００４０】
印刷画像（３）の画線や画素に要求される「高い光沢」とは、入射光を反射した場合に強い反射光を生じさせるために必須の要件となる。本明細書中でいう「高い光沢を有する」とは、物質に光が入射した場合に、光を強く反射することでその物質の明度が上昇する特性である、いわゆる、明暗フリップフロップ性を少なくとも有することとし、「高い光沢」の「高い」を意味する具体的な数値としては、拡散反射光下での観察時に測定した物質の明度と、正反射光下での観察時に測定した物質の明度の差が２０を超える特性を有することとする。この要件を満たさない場合には、拡散反射光と正反射光が混在する角度で観察した場合の第一の有意情報（４）の消失効果が低くなり、本発明の画像のチェンジ効果が相対的に低くなるため好ましくない。また、光を反射して明度が上昇する明暗フリップフロップ性に加えて、光を反射することで色相も変化するカラーフリップフロップ性を備えていてもよく、この場合は、画像の消失効果に加え、画像の色相も変化するため、色彩変化により優れた潜像印刷物（１）を形成することができる。
【００４１】
以上のような特性を満たす画線や画素を印刷によって形成する方法としては、光反射特性に優れた金属顔料、ガラス材料又は液晶材料等の機能性顔料をインキ中に混ぜた機能性インキで印刷する方法や、インキの大半を占めるワニスやメジューム等の樹脂成分に高光沢な樹脂を選択して使用し、インキ中の樹脂の光沢を利用する方法等が考えられる。また、光沢を有さない盛り上がりを有する画線や画素を形成した後に、高光沢なニスを重ねて印刷することや、スプレーによって光沢のある樹脂や顔料を吹き付けることで最終的に艶を施す方法等を用いてもよい。
【００４２】
機能性インキで印刷する場合の機能性顔料としては、アルミ、真鍮又は銅等の金属粉を顔料とすることや、特殊な色相変化を実現することができる、パール顔料に代表される鱗片状マイカ顔料、鱗片状金属顔料、ガラスフレーク又はコレステリック液晶顔料等を用いることができる。特に、パール顔料を用いたパールインキや液晶顔料を用いた液晶インキを用いて盛り上がりのある画線を形成した場合は、光が入射した場合に明度だけでなく色相も変化する、いわゆる、カラーフリップフロップ性を付与することができ、単純な明暗フリップフロップを用いた印刷画像（３）よりも模倣が難しいため、偽造抵抗力が高まることに加えて、意匠性も高まることから、より望ましい。
【００４３】
以上のような構成で形成した本発明の潜像印刷物（１）の視認効果について、図６を用いて以下に説明する。図６（ａ）に示すように、拡散反射光が支配的な角度領域で本発明の潜像印刷物（１）を観察した場合、印刷画像（３）中における第一の有意情報である「七宝」の画像が視認される。なお、拡散反射光が支配的な角度領域とは、光源（８）と潜像印刷物（１）を結んだ線が垂直（９０°）のラインとなす角度（入射する光の入射角度）と、潜像印刷物（１）と観察者の視点（９ａ）を結んだ線が垂直（９０°）のラインとなす角度（反射光の受光角度）とが大きく異なる角度領域を指す。入射角度が約４５°であれば、この領域は、受光角度９０°から１０°前後の範囲に当たる（図６（ａ）では０°）。
【００４４】
図６（ｂ）に示す拡散反射光と正反射光が混在する角度領域で本発明の潜像印刷物（１）を観察した場合、印刷画像（３）中における第二の有意情報であるアルファベットの「ＪＰＮ」の文字がポジ（情報部が濃く背景部が淡い。）又はネガ（情報部が淡く背景部が濃い。）で視認される。なお、拡散反射光と正反射光が混在する角度領域とは、光源（８）と印刷物を結んだ線が垂直（９０°）のラインとなす角度（入射する光の入射角度）と、潜像印刷物（１）と観察者の視点（９ｂ）を結んだ線が垂直（９０°）のラインとなす角度（反射光の受光角度）とが相対的に近い角度領域を指す。図６（ｂ）の図でいえば、入射角度は、約４５°であり、受光角度は、１０°から８０°前後の範囲に当たる（図６（ｂ）では５０°）。
【００４５】
以上のような効果が生じる原理について説明する。拡散反射光が支配的な角度領域では、観察者には物質の立体構造の差異よりも物質の色彩の違いが強調されて認識される。すなわち、本発明においては、盛り上がりを有する画線の画線角度の違いや画素の形状等が視認される画像に与える影響が極めて小さく、一方の画線や画素の面積率の違いによって生じる濃淡差が視認される画像に与える影響は大きい。このため、観察者は、面積率の差異で構成された第一の有意情報を視認することができる。
【００４６】
一方、拡散反射光と正反射光が混在する角度領域では、物質が光を反射することで生じる反射光を観察者が直接視認することとなる。そのため、拡散反射光が支配的な観察環境と比較すると、相対的に立体構造が強調されて視認される。特に、物質が光を強く反射する特性を有する場合、この傾向はより強くなる。拡散反射光と正反射光が混在する角度領域で視認される第二の有意情報（５）の情報部は、第三の画像要素群（６Ｃ）と第四の画像要素群（６Ｄ）を組み合わせたものであり、必ず、第一の方向（Ｓ１方向）に複数配された画線を含んでなる。一方の第二の有意情報（５）の背景部は、第一の画像要素群（６Ａ）と第二の画像要素群（６Ｂ）を組み合わせたものであり、第一の方向（Ｓ１方向）とは異なる第二の方向（Ｓ２方向）に複数配置された画線、複数の画素又はそれらの組合せによってなる。そのため、第二の有意情報（５）を構成する画線や画素の立体構造の特徴の違いから、第二の有意情報（５）の情報部から生じる反射光の量と、第二の有意情報（５）の背景部から生じる反射光の量は異なる。この現象によって、それまで不可視であった第二の有意情報（５）が反射光量の大小によって可視化される。このとき、第一の有意情報（４）を表している面積率の差異による濃淡差は、画線が光を反射することで画線が淡く変化し、濃淡差が目視上圧縮され、第一の有意情報（４）の画像部と背景部のコントラストが失われることで第一の有意情報（４）が目視上消失する。以上のように、拡散反射光と正反射光が混在する角度領域では、印刷画像（３）が光を反射することで第一の有意情報（４）が消失し、かつ、第二の有意情報（５）が可視化されるために、優れた画像のチェンジ効果が生じる。
【００４７】
以上のような原理によって、拡散反射光が支配的な角度領域では、第一の有意情報（４）が視認され、拡散反射光と正反射光が混在する角度領域では、第二の有意情報（５）を視認することができる効果が生じる。また、本実施の形態１の潜像印刷物（１）の第一の有意情報（４）の濃淡は、画素の有無で構成されているため、いずれの方向から光が入射した場合でも優れた第一の有意情報の消失効果が発揮される。仮に、特許文献２に記載の従来の技術では、画像の消失効果が低下する傾向にあった第一の方向及び第二の方向から光が入射したとしても、第一の有意情報が完全に消失する。以上のことから、従来の技術と比較して、画像の消失効果が入射する光の方向に影響を受けないことから、画像のチェンジ効果が常に発揮され、安定した真偽判別が可能となる。
【００４８】
なお、拡散反射光と正反射光が混在する角度領域は、図６（ｂ）の図でいえば、入射角度が約４５°であり、受光角度が１０°から８０°前後の範囲にあたると説明したが、厳密にいえば、受光角度４５°プラスマイナス５°程度の角度では、再び第一の有意情報（４）が視認される。これは、この角度領域では、正反射光が支配的であって（正反射光が拡散反射光に比べて極めて大きな割合を占める）、物体のわずかな立体構造の差異よりも面積率の差異が再び強調されるためである。しかし、これは単一光源から潜像印刷物（１）に光を入射させた場合に認識される現象であって、通常我々が生活する多くの光源が存在する一般的な環境においては、この角度領域は存在しないか、又は極めて狭く、注意を払って観察しない限りこの現象を認識することが困難であるため、本明細書中では、この正反射光が支配的な角度領域も、拡散反射光と正反射光が混在する角度領域として扱い、第二の有意情報が視認されるものとして扱う。
【００４９】
以上のように、本発明の潜像印刷物（１）は、画像の優れたチェンジ効果を有するが、印刷画像（３）を構成する画線及び画素の構成については、前述した実施の形態１の例に限定されるものではない。
【００５０】
前述したように、第二の画像要素群（６Ｂ）と第四の画像要素群（６Ｄ）の２つの画像要素群は、画線と画素の組合せによって構成される場合があるが、この画線と画素の組合せにおいて、画線を特殊な画線に置き換えることもできる。図７に、実施の形態１の別の形態として、第四の画像要素群（６Ｄ）に、この特殊な画線を用いた例を示す。
【００５１】
図７に示すのは、第四の画像要素群（６Ｄ´）とその一部の拡大図である。第四の画像要素群（６Ｄ´）は、画素と画線の組合せで構成するのではなく、特殊な画線のみで構成してなる。第四の画線（７Ｄ´）の構成については、具体的な例として図７（ａ）、図７（ｂ）及び図７（ｃ）にいくつかの例を示すが、画線で構成されているのであれば特にこれらに限定されるものではない。第四の画像要素群（６Ｄ´）は、第一の方向（Ｓ１方向）に伸びた第四の画線（７Ｄ´）が特定のピッチＰ１で第二の方向（Ｓ２方向）に連続して複数配置されてなる。また、第四の画像要素群（６Ｄ´）の面積率は、実施の形態１と同様に第二の面積率で構成される必要がある。
【００５２】
図７（ａ）及び図７（ｂ）に示す画線は、画線の幅が規則的に太細の変化を有する直線で形成した例である。以降の説明では、画線の幅の太い部分を出っ張り部ということもある。第四の画像要素群（６Ｄ´）に図７（ｂ）に示す第四の画線（７Ｄ´）を用い、実施の形態１で用いた第一の画像要素群（６Ａ）、第二の画像要素群（６Ｂ）及び第三の画像要素群（６Ｃ）とを重ならないように配置することで、図８に示した印刷画像（３´）が形成される。この場合、仮に画線方向と平行な方向（Ｓ１方向）から光が入射したとしても、画線の出っ張り部分の上片は、光を反射することができるため、出っ張り部のない画線で画像を形成した場合よりも拡散反射光と正反射光が混在する角度領域での画像の消失効果は高くなる。この場合のピッチＰ２は、小さければ小さいほどその画像の消失効果は高まるため、潜像印刷物（１´）を形成する印刷方式で安定して再現できる中でも可能な限り小さなピッチにすることが好ましい。
【００５３】
図７（ｃ）に示す画線は、単純な太い直線で形成した例であって、この構成では、画線方向と平行な第一の方向（Ｓ１方向）から光が入射した場合に画像（第一の有意情報の一部）が消失する効果が低くなるため、本発明が意図する拡散反射光と正反射光が混在する角度領域での画像の消失効果を高めるためには、本来望ましくない構成である。このような単純な太い直線は、第二の画像要素群（６Ｂ）と第四の画像要素群（６Ｄ´）に同時には用いてはならないが、第四の画像要素群（６Ｄ´）のみに用いるのであれば、このような単純な太い直線で構成する場合もありうる。図７（ａ）や図７（ｂ）のような複雑な画線構成を、ピッチＰ２を充分に小さな値で形成することが難しい印刷方式である、例えば、スクリーン印刷方式で本発明の潜像印刷物（１´）を製造する場合、図７（ｃ）のような単純な直線で第四の画像要素群（６Ｄ´）を形成する形態も考えうる。その場合、第一の方向（Ｓ１方向）から光が入射した場合に画像の消失効果は低くなるが、第二の方向（Ｓ２方向）から光が入射した場合の画像の消失効果は担保され、少なくとも本発明の目的とする、真偽判別機能の観察環境中の光の入射方向へ依存度を低くすることは、一部達成することができる。よって、図７（ｃ）に示す構成も本発明の技術的範疇に含まれるものとする。
【００５４】
（実施の形態２）
続いて、前述の実施の形態１の例とは異なる画線及び画素構成によって印刷画像（３´´）を構成した例について図９から図１４を用いて説明する。
【００５５】
図９に、実施の形態２における潜像印刷物（１´´）として、前述した実施の形態１で説明した構成とは異なる画線及び画素構成で形成した例を示す。本実施の形態２において、印刷画像（３´´）の中には、図１０（ａ）に示す第一の有意情報（４´´）として複雑な画像である「桜花流水」の図を表し、図１０（ｂ）に示す第二の有意情報（５´´）としてアルファベットの「ＪＰＮ」の文字を表してなる。
【００５６】
図１１に、印刷画像（３´´）を構成している第一の画像要素群（６Ａ´´）、第二の画像要素群（６Ｂ´´）、第三の画像要素群（６Ｃ´´）及び第四の画像要素群（６Ｄ´´）を示す。この中でも、図１１（ａ）の第一の画像要素群（６Ａ´´）及び図１１（ｂ）の第二の画像要素群（６Ｂ´´）を、全て画素のみで形成したことに大きな特徴がある。また、図１１（ｃ）の第三の画像要素群（６Ｃ´´）及び図１１（ｄ）の第四の画像要素群（６Ｄ´´）は、画線のみで表現してなる。
【００５７】
続いて、図１２及び図１３において各画像要素群の具体的な構成について説明する。図１２（ａ）に示すのは、第一の画像要素群（６Ａ´´）とその一部の拡大図である。第一の画像要素群（６Ａ´´）は、高さＷ１幅Ｗ２の第一の画素（７Ａ´´）が、ピッチＰ２で第二の方向（Ｓ２方向）に連続して複数配置され、かつ、第一の方向（Ｓ１方向）にピッチＰ１で連続して複数配置されてなる。第一の画像要素群（６Ａ´´）は、第一の面積率で形成されてなる。図１２（ｂ）に示すのは、第二の画像要素群（６Ｂ´´）とその一部の拡大図である。第二の画像要素群（６Ｂ´´）は、高さＷ３幅Ｗ４の第二の画素（７Ｂ´´）が、ピッチＰ２で第二の方向（Ｓ２方向）に連続して複数配置され、かつ、第一の方向（Ｓ１方向）にピッチＰ１で連続して複数配置されてなる。第二の画像要素群（６Ｂ´´）は、第一の面積率と異なる第二の面積率で形成されてなる。
【００５８】
また、図１３（ａ）に示すのは、第三の画像要素群（６Ｃ´´）とその一部の拡大図である。第三の画像要素群（６Ｃ´´）は、第一の方向（Ｓ１方向）に伸びた画線幅Ｗ５の第三の画線（７Ｃ´´）が、特定のピッチＰ３で第二の方向（Ｓ２方向）に連続して複数配置されてなる。図１３（ｂ）に示すのは、第四の画像要素群（６Ｄ´´）とその一部の拡大図である。第四の画像要素群（６Ｄ´´）は、第二の方向（Ｓ２方向）に伸びた出っ張り部を有する第四の画線（７Ｄ´´）が特定のピッチＰ４で第二の方向（Ｓ２方向）に連続して複数配置されてなる。第四の画線（７Ｄ´´）の出っ張り部は、画線幅Ｗ５である中心となる画線の両側に画線幅Ｗ７で高さＷ６の出っ張り部がピッチＰ４で形成されてなる。なお、ピッチＰ１、ピッチＰ２、ピッチＰ３及びピッチＰ４は、同じでも異なっていてもよい。
【００５９】
本実施の形態２における第一の画像要素群（６Ａ´´）及び第二の画像要素群（６Ｂ´´）は、いずれも画素のみで構成されてなる。この形態において２つの画像要素群は、画線を用いず画素のみで形成しているため、各画像要素群から生じる反射光量は、入射する光の入射方向の違いに影響を受けにくい。よって、いずれの方向から光が入射したとしても、極端に反射光が変化することなく、ある程度、安定した光量をもって光を反射する。そのため、拡散反射光と正反射光が混在する角度領域での第一の画像要素群（６Ａ´´）と第二の画像要素群（６Ｂ´´）の消失効果は、安定して発揮される。一方、第三の画像要素群（６Ｃ´´）と第四の画像要素群（６Ｄ´´）は、画素を用いず画線のみで形成しているため、第一の画像要素群（６Ａ´´）と第二の画像要素群（６Ｂ´´）から生じる反射光量と、第三の画像要素群（６Ｃ´´）と第四の画像要素群（６Ｄ´´）から生じる反射光量の差異である、すなわち、画線と画素の違いによって生じる反射光量の差異は、角度の異なる画線間に生じる反射光量の差異よりも大きくなり、画線角度の違いで第二の有意情報を可視化していた従来の技術と比較して、より視認性が高くなる。よって、本実施の形態２は、拡散反射光と正反射光が混在する角度領域での第一の有意情報の消失効果に優れ、かつ、第二の有意情報の視認性に優れるため、結果として画像のチェンジ効果に特に優れる。
【００６０】
以上のような構成で形成した本発明の潜像印刷物（１´´）の効果について、図１４を用いて以下に説明する。図１４（ａ）に示すように、拡散反射光が支配的な角度領域で本発明の潜像印刷物（１´´）を観察した場合、印刷画像（３´´）の中には、第一の有意情報である「桜花流水」の画像を視認することができる。なお、拡散反射光が支配的な角度領域とは、光源（８´´）と潜像印刷物（１´´）を結んだ線が垂直（９０°）のラインとなす角度（入射する光の入射角度）と、潜像印刷物（１´´）と観察者の視点（９ａ´´）を結んだ線が垂直（９０°）のラインとなす角度（反射光の受光角度）とが大きく異なる角度領域を指す。入射角度が約４５°であれば、この領域は、受光角度９０°から１０°前後の範囲に当たる（図１４（ａ）では０°）。
【００６１】
図１４（ｂ）に示す拡散反射光と正反射光が混在する角度領域で本発明の潜像印刷物（１´´）を観察した場合、印刷画像（３´´）の中には、第二の有意情報であるアルファベットの「ＪＰＮ」の文字がポジ（画像部が濃く背景部が淡い。）又はネガ（画像部が淡く背景部が濃い。）画像として視認される。なお、拡散反射光と正反射光が混在する角度領域とは、光源（８´´）と潜像印刷物（１´´）を結んだ線が垂直（９０°）のラインとなす角度（入射する光の入射角度）と、潜像印刷物（１´´）と観察者の視点（９ｂ´´）を結んだ線が垂直（９０°）のラインとなす角度（反射光の受光角度）とが相対的に近い角度領域を指す。図１４（ｂ）の図でいえば、入射角度は、約４５°であり、受光角度は、１０°から８０°前後の範囲に当たる（図１４（ｂ）では５０°）。
【００６２】
以上のように、本発明の潜像印刷物（１´´）は、画線及び画素の組合せによって画像を構成することから、実施の形態１及び実施の形態２に示すような様々な画線及び画素の構成を用いることができる。
【００６３】
以下に、前述の発明を実施するための形態にしたがって、具体的に作製した潜像印刷物の実施例について詳細に説明するが、本発明は、この実施例に限定されるものではない。
【実施例１】
【００６４】
本発明の実施例１について、図１５から図１８を用いて説明する。図１５に、本発明の潜像印刷物（１−１）を示す。潜像印刷物（１−１）は、一般的な白色のコート紙（日本製紙製）を基材（２−１）とし、基材（２−１）上に銀色の印刷画像（３−１）が形成されている。
【００６５】
実施例１において、印刷画像（３−１）の中には、実施の形態１の例と同様に、図２（ａ）に示した「七宝」画像を表した第一の有意情報（４）と、図２（ｂ）に示したアルファベットの「ＪＰＮ」の文字を表した第二の有意情報（５）が含まれてなる。
【００６６】
図１６及び図１７に印刷画像（３−１）を構成している第一の画像要素群（６Ａ−１）、第二の画像要素群（６Ｂ−１）、第三の画像要素群（６Ｃ−１）及び第四の画像要素群（６Ｄ−１）の具体的な構成を示す。なお、それぞれの画像要素群の２つの組合せ方法は、実施の形態１の説明と同じであることから、説明を省略する。
【００６７】
図１６（ａ）に示すのは、第一の画像要素群（６Ａ−１）とその一部の拡大図である。第一の画像要素群（６Ａ−１）は、第二の方向（Ｓ２方向）に伸びた画線幅０．１５ｍｍの第一の画線（７Ａ−１）が、０．３ｍｍピッチで第一の方向（Ｓ１方向）に連続して複数配置されてなる。図１６（ｂ）に示すのは、第二の画像要素群（６Ｂ−１）とその一部の拡大図である。第二の画像要素群（６Ｂ−１）は、第二の方向（Ｓ２方向）に伸びた画線幅０．１５ｍｍの第二の画線（７Ｂａ−１）と、第二の方向（Ｓ２方向）に０．３ｍｍピッチで配置された高さ０．１ｍｍ幅０．１５ｍｍの第二の画素（７Ｂｂ−１）とが、それぞれ重ならないように０．３ｍｍピッチで第一の方向（Ｓ１方向）に連続して複数配置されてなる。
【００６８】
図１７（ａ）は、第三の画像要素群（６Ｃ−１）とその一部の拡大図である。第三の画像要素群（６Ｃ−１）は、第一の方向（Ｓ１方向）に伸びた画線幅０．１５ｍｍの第三の画線（７Ｃ−１）が、０．３ｍｍピッチで第二の方向（Ｓ２方向）に連続して複数配されてなる。図１７（ｂ）に示すのは、第四の画像要素群（６Ｄ−１）とその一部の拡大図である。第四の画像要素群（６Ｄ−１）は、第一の方向（Ｓ１方向）に伸びた画線幅０．１５ｍｍの第四の画線（７Ｄａ−１）と、第一の方向（Ｓ１方向）に０．３ｍｍピッチで配置された高さ０．１５ｍｍ、幅０．１ｍｍの第四の画素（７Ｄｂ−１）とが、それぞれ重ならないように０．３ｍｍピッチで第二の方向（Ｓ２方向）に連続して複数配置されてなる。なお、本実施例１における第一の面積率は、５０％であり、第二の面積率は、８３％である。
【００６９】
以上のような画像要素群によって構成された印刷画像（３−１）を、ＵＶ硬化型のスクリーン印刷方式によって、銀色のＵＶスクリーンインキ（ミラシーン  ウォールステンホルム社製）を用いて印刷した。本インキは、光を反射する機能性材料として蒸着アルミを含んだ光輝性インキであり、光を反射することで極めて強い正反射光を発して画線の明度を２０以上上昇させる極めて優れた反射特性を有する。得られた画線及び画素の盛り上がり高さは、約１０μｍであった。
【００７０】
以上のような構成で形成した潜像印刷物（１−１）の効果について、図１８を用いて説明する。図１８（ａ）に示すように、拡散反射光が支配的な角度領域で本発明の潜像印刷物（１−１）を観察した場合、印刷画像（３−１）の中には、第一の有意情報（４）である「七宝」の画像が銀色で視認された。また、図１８（ｂ）に示す拡散反射光と正反射光が混在する角度領域で本発明の潜像印刷物（１−１）を観察した場合、印刷画像（３−１）が光を強く反射して白色となり、印刷画像（３−１）の中には、第二の有意情報（５）であるアルファベットの「ＪＰＮ」の文字がポジ（画像部が濃く背景部が淡い。）又はネガ（画像部が淡く背景部が濃い。）画像として視認することができた。以上のように、拡散反射光が支配的な角度領域と拡散反射光と正反射光が混在する角度領域とで印刷画像（３−１）中に視認される画像がチェンジする効果を得ることを確認することができた。また、従来技術と比較するため、入射する光の方向を第一の方向及び第二の方向に変えて画像のチェンジ効果を確認した。特許文献２に記載の従来の技術では、この方向から入射する光に対して、チェンジ効果が大きく低下する傾向にあったが、本発明の潜像印刷物（１−１）では第一の方向及び第二の方向から入射する光に対しても第一の有意情報が完全に消失し、優れた画像のチェンジ効果を発揮することを確認することができた。
【実施例２】
【００７１】
本発明の実施例２について説明する。実施例２の潜像印刷物（１−１）を形成する基材（２−１）及び基材（２−１）上に形成する印刷画像（３−１）の画線構成は、実施例１と同様であるが、盛り上がりのある画線及び画素を、カラーフリップフロップ性を有するパール顔料を含むインキで形成した例である。なお、実施例２の説明については、画線構成が同様である実施例１の説明に用いた図面により説明する。
【００７２】
実施例１で説明した画像要素群によって構成された印刷画像（３−１）を、ＵＶ硬化型のスクリーン印刷方式によって、表１に示すインキを用いて印刷した。本インキは、光を反射する機能性材料として虹彩色パール顔料を含んだ光輝性インキであり、光を反射することで５０前後明度が上昇するだけでなく、反射光の色相も変化し、金色の干渉色を呈する特徴を有する。着色顔料として黒を配合しているため、拡散反射光下での観察では、黒色に見えるが、拡散反射光と正反射光が混在する角度領域での観察では、金色の干渉色を呈する。得られた画線及び画素の盛り上がり高さは、約１０μｍであった。
【００７３】
【表１】
0005900820.tif 000002
【００７４】
以上のような構成で形成した潜像印刷物（１−１）の効果について、図１８を用いて説明する。図１８（ａ）に示すように、拡散反射光が支配的な角度領域で本発明の潜像印刷物（１−１）を観察した場合、印刷画像（３−１）の中には、第一の有意情報（４）である「七宝」の画像が黒色で視認された。また、図１８（ｂ）に示す拡散反射光と正反射光が混在する角度領域で本発明の潜像印刷物（１−１）を観察した場合、印刷画像（３−１）が光を強く反射して金色となり、印刷画像（３−１）の中には、第二の有意情報（５）であるアルファベットの「ＪＰＮ」の文字がポジ（画像部が黒色で背景部が金色）又はネガ（画像部が金色で背景部が黒色）画像として視認された。以上のように、拡散反射光が支配的な角度領域と拡散反射光と正反射光が混在する角度領域とで印刷画像（３−１）中に視認することができる画像がチェンジする効果に加え、印刷画像（３−１）の色相が変化する色彩変化に富んだ効果を得ることを確認することができた。また、本実施例２の潜像印刷物（１−１）でも第一の方向及び第二の方向から入射する光に対しても画像のチェンジ効果が低下することなく、優れた画像のチェンジ効果を有することを確認することができた。
【符号の説明】
【００７５】
１、１´、１´´、１−１  潜像印刷物
２、２´、２´´、２−１  基材
３、３´、３´´、３−１  印刷画像
４、４´´  第一の有意情報
５、５´´  第二の有意情報
６Ａ、６Ａ´´、６Ａ−１  第一の画像要素群
６Ｂ、６Ｂ´´、６Ｂ−１  第二の画像要素群
６Ｃ、６Ｃ´´、６Ｃ−１  第三の画像要素群
６Ｄ、６Ｄ´´、６Ｄ−１  第四の画像要素群
７Ａ、７Ａ´´、７Ａ−１  第一の画線、第一の画素
７Ｂａ、７Ｂｂ、７Ｂ´´、７Ｂａ−１、７Ｂｂ−１  第二の画線、第二の画素
７Ｃ、７Ｃ´´、７Ｃ−１  第三の画線
７Ｄａ、７Ｄｂ、７Ｄ´、７Ｄ´´、７Ｄａ−１、７Ｄｂ−１  第四の画線、第四の画素
８、８´´、８−１  光源
９ａ、９ｂ、９ａ´´、９ｂ´´、９ａ−１、９ｂ−１  観察者の視点 
【図１】
0005900820.tif 000003
【図２】
0005900820.tif 000004
【図３】
0005900820.tif 000005
【図４】
0005900820.tif 000006
【図５】
0005900820.tif 000007
【図６】
0005900820.tif 000008
【図７】
0005900820.tif 000009
【図８】
0005900820.tif 000010
【図９】
0005900820.tif 000011
【図１０】
0005900820.tif 000012
【図１１】
0005900820.tif 000013
【図１２】
0005900820.tif 000014
【図１３】
0005900820.tif 000015
【図１４】
0005900820.tif 000016
【図１５】
0005900820.tif 000017
【図１６】
0005900820.tif 000018
【図１７】
0005900820.tif 000019
【図１８】
0005900820.tif 000020
【図１９】
0005900820.tif 000021